(57)【要約】      （修正有）【課題】根固め材と杭孔充填材に同種の材料を注入し、かつ横矢板の設置を容易とする親杭横矢板工法を提供する。【解決手段】親杭横矢板工法において、芯材となるH形鋼１に予め掘削深度に応じた長さの溝形形成部材２を仮固定する工程と、根固め材７および杭孔充填剤８にコンクリートを使用し、連続して注入する工程と、掘削毎に溝形形成部材２を撤去する工程を含む。溝形形成部材２は掘削深度に応じた長さであるため、掘削深度毎に撤去することができる。【選択図】図３
2016033292.tif 000002
【特許請求の範囲】
【請求項１】
親杭横矢板工法において、芯材となるH形鋼に、掘削深度に応じた長さの溝形形成部材を仮固定する工程と
根固めコンクリートと杭孔充填材に連続してコンクリートを充填する工程と、各掘削深度毎に上記溝形形成部材を撤去する工程とを含むことを特徴とする、親杭横矢板工法。
【請求項２】
請求項１に記載の親杭横矢板工法において、根固めコンクリートと杭孔充填材のコンクリートに強度の異なるコンクリートを用いることを特徴とする親杭横矢板工法。
【発明の詳細な説明】
【技術分野】
【０００１】
本願発明は親杭横矢板工法に関するものである。
【背景技術】
【０００２】
親杭横矢板工法は最も経済的な土留め壁の形成方法で、地下水位が掘削床付け面より深く、掘削から横矢板を設置するまでの間に地山が崩れない場所で適用される。
地盤に所定の間隔で杭孔を掘削し、その杭孔にＨ形鋼の溝が向かい合うように挿入し、床付け面以深には根固め材を注入し、床付け面以浅には杭孔充填材を注入して親杭を形成する。
親杭列の一方を所定の深さまで掘削した後、溝が向き合うＨ形鋼の溝間に横矢板を設置して土留め壁を形成する。これを、床付け面まで繰り返す。
【０００３】
親杭横矢板工法において、根固め材および杭孔充填材に強度の小さいものを使用すると芯材が地山と固定されず、土留め壁が不安定となる。  しかし、強度の大きいソイルセメントやコンクリートを使用した場合、掘削時にH形鋼の溝に入り込んだソイルセメントやコンクリートを削る作業が発生する。  
【０００４】
特許文献１では、H形鋼の溝内に入ったソイルセメントを削る作業を省略するためにH形鋼に予め溝形形成部材を設置し、横矢板設置の為の溝が形成される方法を開示している。
【先行技術文献】
【特許文献】
【０００５】
【特許文献１】特開２０００−１７６５５号公報
【発明の概要】
【発明が解決しようとする課題】
【０００６】
親杭横矢板工法において、土留め壁の安定性を考慮すると根固め材にはコンクリートを使用する。また、杭孔充填材には水締め土やソイルセメントを使用し、根固め材とは異なる材料を使用している。
根固め材にコンクリートを使用し、杭孔充填材に異なる材料を使用した場合、施工時には異なる場所からそれぞれの材料を発注し、それぞれの材料を受け入れる為の試験を行う必要がある。
【０００７】
また、親杭横矢板工法は掘削から横矢板設置まで、地山が自立している必要があるため工事計画時に１回の掘削深度を決定する。これは、工事の安全性を確保するために決められた掘削深度より深く掘削してはならない。  このため、溝形形成部材も掘削深度を考慮した構造である必要がある。
【課題を解決するための手段】
【０００８】
本発明は、親杭横矢板工法において、芯材となるH形鋼に予め掘削深度に応じた長さの溝形形成部材を仮固定する工程と、根固め材および杭孔充填材にコンクリートを使用し、連続して充填する工程と、掘削毎に溝形形成部材を撤去する工程を含むことを特徴とする。  
【０００９】
根固め材と杭孔充填材に使用するコンクリートは、掘削床付け面の以深と以浅で強度を変更してもよい。
【００１０】
根固め材と杭孔充填材にコンクリートを使用することによって、ソイルセメントよりも強度が高いため、土留め壁の安定性が増す。
【００１１】
また、根固め材と杭孔充填材を連続して充填することができるため、受け入れ検査や材料管理が容易となり施工時間を短縮することができる。
【００１２】
溝形形成部材の長さは、掘削深度と同程度の長さとするため、掘削深度に合わせて溝形形成部材を撤去することができ、安全な状態で施工ができる。
【発明の効果】
【００１３】
根固め材および杭孔充填材にコンクリートを使用することによって、土留め壁の安定性が増す。また、単一の材料を使用することによって、施工管理を容易とすることができる。さらに、掘削深度に合わせた溝形形成部材の撤去を行うことによって施工時の安全性が増す。
【図面の簡単な説明】
【００１４】
【図１】本発明の工法に使用する、H形鋼に溝形形成部材を仮固定した実施形態を示す。
【図２】本発明の工法において、杭孔にH形鋼を建込み根固め材と杭孔充填材を注入した実施形態を示す。  ａ）は平面図、ｂ）は正面図である。
【図３】本発明の工法において、掘削後に溝形形成部材の1段目を撤去し横矢板を設置した実施形態を示す。  ａ）は平面図、ｂ）は正面図である。
【図４】本発明において、土留め壁完成時の実施形態を示す。  ａ）は平面図、ｂ）は正面図である。
【発明を実施するための形態】
【００１５】
本発明の一実施形態を図１〜図４を用いて説明する。
【００１６】
図１に示すように、通常の親杭横矢板工法の芯材として利用するH形鋼１には、芯材を建て込む前に予め溝形形成部材２を仮固定する。仮固定をする方法としては、市販されている一般形鋼用クリップ３を使用したもよいし、点付け溶接４で仮固定をしてもよく、仮固定の方法は限定されるものではない。
【００１７】
溝形形成部材には角型鋼管を使用して、両端部の三面を切除し残した取付部５とＨ形鋼のフランジ部分をクリップ３で挟んで仮固定した。また、点付け溶接４で仮固定する場合も同様に取付部５の端部を点付け溶接すればよい。
【００１８】
溝形形成部材２は１度の掘削深度に合わせた長さとするのがよい。親杭横矢板工法では、掘削から横矢板を設置するまで地盤自立する必要がある。このため、地山の崩壊を防止するため１度の掘削は１m以上掘削してはならない。よって、溝形形成部材２の長さも１ｍとした。
【００１９】
溝形形成部材２の内部に充填材が流入するのを防ぐために、養生テープ（図示せず）等を使用して蓋をしてもよい。蓋をすることで溝形形成部材２を撤去した後に再利用が容易となる。
【００２０】
図２には杭孔６を削孔した後にH形鋼１を建て込み、根固め材７および杭孔充填材8を充填した後の状況を示す。根固め材７および杭孔充填材8は連続してコンクリートを充填した。このとき、掘削床付け面9より浅い杭孔充填剤8には根固め材９に使用したコンクリートよりもセメント量の少ない配合のコンクリートを使用してもよい。
【００２１】
根固め材７と杭孔充填剤８にコンクリートを使用すれば、杭孔充填材8に異種の材料（例えばソイルセメントや土締め土）を使用する時と比較して、材料発注時や材料受け入れ時検査の手間が省略できる。
【００２２】
図３には掘削途中の一実施形態を示す。掘削深度は安全性を考慮して１ｍとする。１ｍ掘削した後に溝形形成部材を撤去する。この時、溝形形成部材２は掘削深度に合わせた長さであるため撤去が容易となる。  また、溝形形成部材の撤去時は杭孔充填剤８が付着しているので、例えば溝形形成の端部にフックを取り付けて重機を用いて撤去してもよい。溝形形成部材２を撤去して後に形成された溝部に横矢板９を設置する。掘削から横矢板９を設置するまでの工程を床付け面10まで繰り返し、図４に示すように土留め壁の完成に至る。
【符号の説明】
【００２３】
１  H形鋼
２  溝形形成部材
３  クリップ
４  点溶接
５  取付部
６  杭孔
７  根固め材
８  杭孔充填材
９  横矢板
１０  床付け面
【図１】
2016033292.tif 000003
【図２】
2016033292.tif 000004
【図３】
2016033292.tif 000005
【図４】
2016033292.tif 000006